(57)【要約】【課題】電力消費を抑制するとともにユーザにとって好適な視聴環境を確保することができるテレビジョン装置を提供する。【解決手段】テレビジョン装置１００において、撮像部１５０から入力された映像に基づいてユーザ検出部１５１が視聴者の存在を確認する。そして電力制御部１６０は、ユーザ検出部１５１がユーザの存在を確認できなくなった時刻以降の第１の時刻に、表示部１２０に対する電力供給を制限する一方で、スピーカ部１３０に対する電力供給を継続する。そして電力制御部１６０は、第１の時刻より後の第２の時刻にスピーカ装置１３０に対する電力供給を制限する。【選択図】  図２
2011176527.tif 000002
【特許請求の範囲】
【請求項１】
映像を表示する表示手段と、
音声を出力する音声出力手段と、
視聴者の存在を確認する確認手段と、
少なくとも前記表示手段と前記音声出力手段とに対して電力を供給する手段であって、前記確認手段が前記視聴者の存在を確認できない時刻以降の第１の時刻に前記表示手段に対する電力供給を制限する一方で前記音声出力手段に対する電力供給を継続し、当該第１の時刻より後の第２の時刻に前記音声出力手段に対する電力供給を制限する電力制御手段と
を備えることを特徴とするテレビジョン装置。
【請求項２】
前記電力制御手段は、前記第１の時刻から一定時間後の前記第２の時刻に前記音声出力手段に対する電力供給の制限を開始する
ことを特徴とする請求項１記載のテレビジョン装置。
【請求項３】
映像コンテンツの映像データ及び音声データを読み込む読み込み手段を更に備え、
前記表示手段は、読み込まれた前記映像コンテンツの映像を表示し、
前記音声出力手段は、読み込まれた前記映像コンテンツの音声を出力し、
前記電力制御手段は、読み込まれた前記再生時間長情報に基づいて、前記映像コンテンツの再生終了時刻に、前記音声出力手段と前記読み込み手段とに対する電力供給を制限する
ことを特徴とする請求項１記載のテレビジョン装置。
【請求項４】
前記読み込み手段は、前記映像コンテンツの再生時間長情報を読み込み、
前記表示手段は、読み込まれた前記映像コンテンツの映像を表示し、
前記音声出力手段は、読み込まれた前記映像コンテンツの音声を出力し、
前記電力制御手段は、読み込まれた前記再生時間長情報に基づいて、前記映像コンテンツの再生終了時刻に、前記音声出力手段と前記読込み手段とに対する電力供給を制限する
ことを特徴とする請求項３記載のテレビジョン装置。
【請求項５】
放送コンテンツの映像データ及び音声データと、当該放送コンテンツの放送時間情報とを受信する受信手段を更に備え、
前記表示手段は、受信された前記放送コンテンツの映像を表示し、
前記音声出力手段は、受信された前記放送コンテンツの音声を出力し、
前記電力制御手段は、前記放送時間情報に基づいて、前記音声出力手段が出力している音声に対応する前記放送コンテンツの放送が終了する前記第２の時刻に、前記音声出力部への電力供給を制限する
ことを特徴とする請求項１記載のテレビジョン装置。
【請求項６】
前記受信手段が受信した前記放送コンテンツの映像データを録画する録画手段を更に備え、
前記電力制御手段は、前記録画手段による前記放送コンテンツの録画が終了した場合に、前記録画手段に対する電力供給を制限する
ことを特徴とする請求項５記載のテレビジョン装置。
【請求項７】
前記録画手段は、設定された予約録画時刻に前記放送コンテンツを録画し、
前記電力制御手段は、前記設定された予約録画時刻に基づいて、前記放送コンテンツの録画が終了する時刻に、前記録画手段に対する電力供給を制限する
ことを特徴とする請求項６記載のテレビジョン装置。
【請求項８】
前記音声出力手段は、前記第１の時刻の後、当該音声出力手段が出力する音声の音量を徐々に低下させる
ことを特徴とする請求項１記載のテレビジョン装置。
【請求項９】
前記表示手段は、前記確認手段が前記視聴者の存在を確認できない時刻以降に、当該表示手段から出力する映像の輝度を徐々に低下させる
ことを特徴とする請求項１記載のテレビジョン装置。
【請求項１０】
前記確認手段は、視聴者の存在を検出可能な検出装置から入力された信号に基づいて前記視聴者の存在を確認する
ことを特徴とする請求項１記載のテレビジョン装置。
【請求項１１】
前記確認手段は、視聴者を撮像可能な画像撮影装置から入力された画像に基づいて前記視聴者の存在を確認する
ことを特徴とする請求項１記載のテレビジョン装置。
【請求項１２】
前記確認手段は、前記画像撮影装置から入力された前記画像に基づいて、前記表示手段に表示される前記映像を視聴している前記視聴者の存在を確認し、
前記電力制御手段は、前記映像を視聴している前記視聴者の存在を確認できない時刻以降の前記第１の時刻に、前記表示手段に対する電力供給を制限する
ことを特徴とする請求項１１記載のテレビジョン装置。
【請求項１３】
映像を表示する表示手段と、
音声を出力する音声出力手段と、
操作入力を受け付ける受付手段と、
少なくとも前記表示手段と前記音声出力手段とに対して電力を供給する手段であって、前記受付手段が前記表示手段に対する電力供給を制限する為の操作入力を受けた場合、当該表示手段に対する電力供給を制限する一方で前記音声出力手段に対する電力供給を継続し、当該操作入力を受けた一定時間後に前記音声出力手段に対する電力供給を制限する電力制御手段と
を備えることを特徴とするテレビジョン装置。
【発明の詳細な説明】
【技術分野】
【０００１】
本発明は映像及び音声を出力するテレビジョン装置に関する。
【背景技術】
【０００２】
近年の環境問題への意識の高まりとともに、テレビジョン装置等の電子機器の消費電力を抑制できる技術が求められている。
テレビジョン装置の消費電力を抑制する技術の例として、実際に視聴者が番組を視聴しているかどうかに基づいて表示部をオン・オフできる技術がある（例えば、特許文献１）。特許文献１には、視聴者を撮影する為のカメラを備え、当該カメラにより撮影された画像から、視聴者の目、鼻、口などが向いている方向等を判断し、視聴者の目などが表示装置に向けられている場合は映像信号を表示装置に供給し、向けられていない場合は映像信号を表示装置に供給せず表示装置の電力をオフ状態にし、音声は出力するテレビジョンセットが開示されている。
【先行技術文献】
【特許文献】
【０００３】
【特許文献１】特開２００６−１８０１７９
【発明の概要】
【発明が解決しようとする課題】
【０００４】
ここで、テレビジョン装置の消費電力を抑制する為には、テレビジョン装置のスピーカや当該テレビジョン装置全体に対する電力供給を制御できることが好ましい。しかしながら特許文献１記載の技術は、ＬＣＤ等の表示装置に対する電力の制御を行うものであり、スピーカやチューナ等、テレビジョン装置の他の構成に対する電力制御を考慮したものではないため、消費電力を十分に抑制できない恐れがある。ここで、視聴者の目等が表示装置の方に向いていない場合に、表示装置の電力だけでなくスピーカやテレビジョン装置全体の電力をオフ状態にすることも考えられるが、ユーザが表示装置を見ることなく音声を聞く場合等があるため、ユーザにとって好適な視聴環境を確保できない恐れがある。
【０００５】
そこで本発明では、電力消費を抑制するとともにユーザにとって好適な視聴環境を確保することができるテレビジョン装置の提供を目的とする。
【課題を解決するための手段】
【０００６】
上記の課題を解決するために、本発明のテレビジョン装置は、映像を表示する表示手段と、音声を出力する音声出力手段と、視聴者の存在を確認する確認手段と、少なくとも前記表示手段と前記音声出力手段とに対して電力を供給する手段であって、前記確認手段が前記視聴者の存在を確認できい時刻以降の第１の時刻に前記表示手段に対する電力供給を制限する一方で前記音声出力手段に対する電力供給を継続し、当該第１の時刻より後の第２の時刻に前記音声出力手段に対する電力供給を制限する電力制御手段とを備え、前記音声出力手段は、前記第１の時刻の後、遅くとも前記第２の時刻まで音声を出力することを特徴とする。
【０００７】
また、本発明のテレビジョン装置は、映像を表示する表示手段と、音声を出力する音声出力手段と、操作入力を受け付ける受付手段と、少なくとも前記表示手段と前記音声出力手段とに対して電力を供給する手段であって、前記受付手段が前記表示手段に対する電力供給を制限する為の操作入力を受けた場合、当該表示手段に対する電力供給を制限する一方で前記音声出力手段に対する電力供給を継続し、当該操作入力を受けた一定時間後に前記音声出力手段に対する電力供給を制限する電力制御手段とを備え、前記音声出力手段は、前記電力供給を制限する為の操作入力を受けた後、遅くとも前記一定時間後まで音声の出力を継続することを特徴とする。
【発明の効果】
【０００８】
上記のテレビジョン装置に拠れば、電力消費を抑制するとともにユーザにとって好適な視聴環境を確保することができる。
【図面の簡単な説明】
【０００９】
【図１】本発明の実施形態に係るテレビジョン装置の利用形態を示す図。
【図２】本発明の実施形態に係るテレビジョン装置のシステム構成を示すブロック図。
【図３】本発明の実施形態に係るテレビジョン装置の処理動作例を示すフローチャート。
【図４】本発明の実施形態に係るテレビジョン装置の処理動作例を示すフローチャート。
【図５】本発明の実施形態に係るテレビジョン装置の処理動作例を示すフローチャート。
【発明を実施するための形態】
【００１０】
以下、図面を参照して本発明の実施形態について説明する。
図１は、本実施形態におけるテレビジョン装置１００の利用形態を示す図である。テレビジョン装置１００は、受信部１０１（図１では非図示）、表示部１２０、スピーカ部１３０、撮像部１５０等を備えている。ここで受信部１０１は、テレビ番組の放送コンテンツのデータや放送の開始／終了時刻等が重畳されたテレビ放送波を受信し、表示部１２０及びスピーカ部１３０は、受信部１０１で受信した放送コンテンツの映像及び音声を出力する。尚テレビジョン装置１００は、受信部１０１で受信した放送コンテンツのデータを録画し、録画した放送コンテンツを再生する機能も有する。撮像部１５０は、テレビジョン装置１００の周囲を撮像するカメラ等である。
【００１１】
ここでテレビジョン装置１００は、撮像部１５０が撮像した映像に基づいて当該テレビジョン装置１００の周囲のユーザの存在を確認し、またユーザを確認した場合には当該ユーザの目の向き等を検出して当該ユーザがテレビジョン装置１００を見ているか否かを判別する。そしてテレビジョン装置１００は、当該テレビジョン装置１００の周囲にユーザの存在が確認できるか否か、ユーザがテレビジョン装置１００を見ているか否か等に応じて、表示部１２０、音声出力部１３０及び当該テレビジョン装置１００全体への電力供給を制限する。
【００１２】
即ちテレビジョン装置１００は、ユーザがテレビジョン装置１００に表示される映像を視聴している場合、図１（Ａ）のように、表示部１２０から映像を、スピーカ部１３０から音声を出力する。ここでテレビジョン装置１００は、図１（Ｂ）のようにユーザの存在を確認できなくなると、表示部１２０への電力供給を制限する一方でスピーカ部１３０への電力供給及び当該スピーカ部からの音声出力を継続する。
【００１３】
そしてテレビジョン装置１００は、表示部１２０への電力供給を制限した後、ユーザにとって好適なタイミングで、図１（Ｃ）のようにスピーカ部１３０からの音声の出力を制限するとともにテレビジョン装置１００の主電源を制限することができるものである。
【００１４】
続いて図２を参照して、テレビジョン装置１００のシステム構成について説明する。
テレビジョン装置１００は、受信部１０１、ＴＳ分離部１０２、録画再生制御部１０３、記録部１０４、映像／音声分離部１０８、映像デコード部１０９、表示処理部１１０、音声デコード部１１１、音声処理部１１２、表示部１２０、スピーカ部１３０、操作入力受付部１４０、撮像部１５０、ユーザ検出部１５１、指示部１５２、電力制御部１６０等を備える。
【００１５】
受信部１０１は、アンテナ（非図示）を介して、放送コンテンツのデータや当該放送コンテンツについての放送時刻情報が重畳されたテレビ放送波を受信する。そして受信部１０１は、受信した放送コンテンツのデータ及び放送時刻情報をＴＳ分離部１０２に出力する。
【００１６】
ＴＳ分離部１０２は、受信部１０１から入力されたＴＳを、音声データ及び画像データや、放送番組の開始／終了時刻や番組名等の情報が記述されたＥＩＴ（Ｅｖｅｎｔ  Ｉｎｆｏｒｍａｔｉｏｎ  Ｔａｂｌｅ）等に分離する。そしてＴＳ分離部１０２は、分離した音声データ及び画像データを録画再生制御部１０３に、ＥＩＴを記録部１０４に出力する。
【００１７】
録画再生制御部１０３は、再生処理及び録画処理を制御する。なお、ここでの再生処理とは、受信部１０１が受信中の放送コンテンツ及び記録部１０４に録画された放送コンテンツの再生処理や、ＤＶＤ等の可搬性の記録媒体に記録された映像コンテンツの再生処理等を含んでいる。
【００１８】
受信部１０１が受信中の放送コンテンツの再生処理において、録画再生制御部１０３はＴＳ分離部１０２から入力された映像データ及び音声データを映像／音声分離部１０８に出力する。また録画再生制御部１０３は、記録部１０４に録画された放送コンテンツの再生処理において、記録部１０４に記録された放送コンテンツの映像データ及び音声データを読み込み、当該データを映像／音声分離部１０８に出力する。なお録画再生制御部１０３は、読込んだ放送コンテンツの再生時間長についての情報も読込む。
【００１９】
一方、録画再生制御部１０３は、受信部１０１が受信した放送コンテンツの録画処理において、ＴＳ分離部１０２から入力された映像データ及び音声データを記録部１０４に出力する。また録画再生制御部１０３は予約録画機能も有しており、設定された予約録画についての開始／終了時刻等を管理する録画時刻データベース１０６を生成し、記録部１０４に出力する。
【００２０】
記録部１０４は、録画再生制御部１０３から入力された映像データ及び音声データを記録する。また記録部１０４は、ＴＳ分離部１０２から入力されたＥＩＴに基づいた放送時刻データベース１０５と、録画再生制御部１０３から入力された録画時刻データベース１０６とを記録する。ここで放送時刻データベース１０５とは、放送番組の開始時間及び終了時間等についてのデータベースであり、録画時刻データベース１０６とは、予約録画の開始時刻及び終了時刻等についてのデータベースである。
【００２１】
映像／音声分離部１０８は、録画再生制御部１０３から入力された映像データ及び音声データを分離し、分離した映像データを映像デコード部１０９に、音声データを音声デコード部１１１に出力する。
【００２２】
映像デコード部１０９は、映像／音声分離部１０８から入力された映像データをデコードし、デコードした映像データを表示処理部１１０に出力する。
続いて表示処理部１１０は、映像デコード部１０９から入力された映像データに基づいて映像信号を生成し、当該映像信号を表示部１２０に出力する。
そして表示部１２０は、表示処理部１１０から入力された映像信号に基づいた映像を表示する。
音声デコード部１１１は、映像／音声分離部１０８から入力された音声データをデコードし、デコードした音声データを音声処理部１１２に出力する。
続いて音声処理部１１２は、音声デコード部１１１から入力された音声データに基づいて音声信号を生成し、当該音声信号をスピーカ部１３０に出力する。
そしてスピーカ部１３０は、音声処理部１１２から入力された音声信号に基づいた音声を出力する。
操作入力受付部１４０は、リモートコントローラ（非図示）等からの操作入力信号を受け付ける。ここで操作入力受付部１４０は、例えば表示部１２０の電力を制限する為の操作入力信号等を受け付け、受け付けた信号に基づく通知を指示部１５２に出力する。
【００２３】
撮像部１５０は、テレビジョン装置１００の周囲を撮像するカメラ等であり、撮像した映像データをユーザ検出部１５１に出力する。なお撮像部１５０は、カメラのように撮像する機能を持たずともよく、例えばテレビジョン装置１００の周囲の動体を検出するモーションセンサ等であっても良い。そしてこの場合撮像部１５０は、テレビジョン装置１００の周囲に動体があるか否かをユーザ検出部１５１に通知する。ここで撮像部１５０は、テレビジョン装置１００の周囲全方向を撮像できる必要はないが、テレビジョン１００を視聴するユーザを撮像する為には、テレビジョン装置１００の前面、即ち表示部１２０側を撮像できることが好ましい。
【００２４】
ユーザ検出部１５１は、撮像部１５０から入力された映像データを解析し、当該映像中から人物の画像を検出することにより、テレビジョン装置１００の周囲のユーザの存在を確認する。さらにユーザ検出部１５１は、解析した映像中に人物の画像が検出された場合、当該人物の顔や視線の向き等を検出し、当該人物がテレビジョン装置１００を見ているか否かも判別する。なおユーザ検出部１５１は、映像中に複数の人物が確認できる場合、当該複数の人物の夫々に対して視線の向き等を検出し、当該複数人物のうち少なくとも一人がテレビジョン装置１００を見ているか否かを判別する。そしてユーザ検出部１５１は、テレビジョン装置１００の周囲にユーザの存在を確認できるか否かについての通知、及び少なくとも一人のユーザがテレビジョン装置１００を見ているか否かについての通知を指示部１５２に出力する。
【００２５】
またユーザ検出部１５１は、撮像部１５０がモーションセンサ等である場合に、当該撮像部から、動体を検出した否かについての通知を受け取ると、当該通知に基づいてテレビジョン装置１００の周囲にユーザの存在を確認できるか否かについての通知を指示部１５２に出力する。
【００２６】
指示部１５２は、ユーザの存在を確認できるか否か、また、ユーザがテレビジョン装置１００を見ているか否かについての通知に基づき、表示部１２０及びスピーカ部１３０等の駆動電力を制御するための指示を行う。
【００２７】
即ち指示部１５２は、ユーザ検出部１５１から、ユーザの不在を示す通知を受け取ると、表示部１２０の駆動電力を制限するよう電力制御部１６０に対して指示する。またこのとき指示部１５２は、映像デコード部１０９に対して映像データのデコードを停止するよう指示しても良い（当該指示の信号については非図示）。
【００２８】
なお指示部１５２は、ユーザの不在を示す通知を受け取った場合に、表示制御部１２１に対して、一定時間の間に表示部１２０の輝度を徐々に低くするように指示するとともに、電力制御部１６０に対して、当該一定時間が経過した後に表示部１２０への駆動電力の供給を制限するように指示しても良い。
【００２９】
そして指示部１５２は、表示部１２０への電力供給の制限が開始された場合にカウンタをスタートさせ、当該カウンタの値が設定値に達した場合、即ち表示部１２０への電力供給制限が開始した一定時間後に、電力制御部１６０に対して、スピーカ部１３０及びテレビジョン装置１００の各構成に対する電力供給の制限を指示する。ここで、カウンタと比較する為の設定値は、ユーザにより設定可能であっても良い。なお、ここでテレビジョン装置１００の各構成に対する電力供給を制限するとは、所謂テレビジョン装置１００のスタンバイモードへ移行することを意味している。
【００３０】
なお指示部１５２は、表示部１２０に対する電力供給が制限されてから一定時間後に、スピーカ制御部１３１に対して一定時間の間にスピーカ部１３０からの音声出力の音量を徐々に下げるように指示するとともに、電力制御部１６０に対して、当該一定時間が経過した後にスピーカ部１３０への駆動電力供給の制限を指示しても良い。
【００３１】
さらに指示部１５２は、電力制御部１６０に対し、表示部１２０への電力供給を制限した後、録画再生制御部１０３が再生している放送コンテンツの放送終了後や録画処理の終了後にスピーカ部１３０への電力供給を制限するように指示しても良い。ここで指示部１５２は、記録部１０４に記録された放送時刻データベース１０５を読込み、当該データベースから、現在再生中の放送コンテンツの放送終了時刻を抽出する。そして指示部１５２は、当該放送終了時刻になると、電力制御部１６０に対し、スピーカ部１３０への電力供給の制限及びテレビジョン装置１００の各構成に対する電力供給の制限を指示する。
【００３２】
また指示部１５２は、録画再生制御部１０３が録画された放送コンテンツを再生中である場合、当該録画再生制御部１０３から当該録画された放送コンテンツの再生終了時刻を取得する。そして指示部１５２は、当該再生終了時刻になると、電力制御部１６０に対してスピーカ部１３０への電力供給の制限を指示する。
【００３３】
さらに指示部１５２は、記録部１０４に記録された録画時刻データベース１０６を読み込み、当該データベースから予約録画の終了時刻を抽出する。そして指示部１５２は、予約録画の終了時刻になると、テレビジョン装置１００への電力供給を制限するよう電力制御部１６０に指示する。また指示部１５２は、録画再生制御部１０３に対して、現在録画を行っている否かを問い合わせることもできる。
【００３４】
また指示部１５２は、操作入力受付部１４０から、表示部１２０に対する電力供給の制限を指示する通知が入力された場合に、電力制御部１６０に対し、表示部１２０に対する電力供給の制限を指示することもできる。
【００３５】
電力制御部１６０は、テレビジョン装置１００の各構成に対して駆動電力を供給する。そして電力制御部１６０は、指示部１５２からの指示に基づいて、表示部１２０及びスピーカ部１３０の各々に対する駆動電力の供給を制限し、また、テレビジョン装置１００の各構成への駆動電力の供給を制限する。
【００３６】
次に図３を参照して、本実施例のテレビジョン装置１００の処理順序の例を説明する。
まずユーザ検出部１５１は、撮像部１５０が撮像した映像を取得する（Ｓ３０１）。そして、ユーザ検出部１５１は当該映像を解析し、該映像中にユーザの存在が確認できるか否かを判別する（Ｓ３０２）。ここで、ユーザが確認できない場合（Ｓ３０２のＮｏ）、指示部１５２は、電力制御部１６０に対して、表示部１２０の駆動電力についての問い合わせを行い、表示部１２０に電力が供給されているか否かを判別する（Ｓ３０３）。そして電力が供給されている場合（Ｓ３０３のＮｏ）、指示部１５２は電力制御部１６０に対して表示部１２０への電力供給の制限を指示する（Ｓ３０４）。
【００３７】
なおＳ３０４において指示部１５２は、表示制御部１２１に対して一定時間の間に表示部１２０の輝度を下げるよう指示するとともに、当該一定時間経過後に電力制御部１６０に対して表示部１２０への電力供給の制限を指示しても良い。そして指示部１５２はカウンタをスタートさせ（Ｓ３０５）、カウンタ値が設定値に達しているか否かを判別する（Ｓ３１２）。ここでカウンタ値が設定値未満である場合（Ｓ３１２のＮｏ）、テレビジョン装置１００はＳ３０１の処理を行う。
【００３８】
一方、Ｓ３０２において、撮像部１５０が撮像した映像中にユーザの存在が確認された場合（Ｓ３０２のＹｅｓ）、ユーザ検出部１５１は、当該ユーザの視線の向き等を検出して、ユーザがテレビジョン装置１００を見ているか否かを判別する（Ｓ３０６）。そして、ユーザがテレビジョン装置１００を見ていない場合（Ｓ３０６のＮｏ）、指示部１５２は、表示部１２０に駆動電力が供給されているか否かを判別する（Ｓ３０７）。
【００３９】
ここで表示部１２０に電力が供給されていない場合（Ｓ３０７のＹｅｓ）、指示部１５２は、現在カウント中か否かを判別し（Ｓ３０８）、カウント中の場合（Ｓ３０８のＹｅｓ）にＳ３１２の処理を行い、カウント中でない場合（Ｓ３０８のＮｏ）にＳ３０５の処理を行う。
【００４０】
一方Ｓ３０７において、表示部１２０に電力が供給されている場合（Ｓ３０７のＮｏ）、指示部１５２は、一定時間の間に表示部１２０の輝度を徐々に下げるよう表示制御部１２１に対して指示するとともに、当該一定時間が経過した後、電力制御部１６０に対して表示部１２０への電力供給の制限を指示する（Ｓ３０９）。なおＳ３０９において、指示部１５２は、表示部１２０の輝度を徐々に低下させることなく表示部１２０に対する電力供給を制限するよう指示してもよい。
【００４１】
Ｓ３０６においてユーザがテレビジョン装置１００を見ている場合（Ｓ３０６のＹｅｓ）、指示部１５２は電力制御部１６０に、表示部１２０に対する電力供給を指示する。また、Ｓ３１０において、表示制御部１２１が表示部１２０の輝度を下げる制御を行っている場合、指示部１５２は表示制御部１２１に対して、表示部１２０の輝度を、輝度を下げる前の値に戻し、輝度を下げる制御を停止するように指示する。続いて指示部１５２は、カウンタをリセットし（Ｓ３１１）、テレビジョン装置１００は、Ｓ３０１の処理を行う。
【００４２】
そしてテレビジョン装置１００がＳ３０１〜Ｓ３１２の処理を行い、カウンタ値が設定値以上になった場合（Ｓ３１２のＹｅｓ）、指示部１５２はスピーカ制御部１３１に対してスピーカ部１３０から出力する音声の音量を徐々に下げるよう指示するとともに、電力制御部１６０に対して、当該音量が０になった場合にスピーカ部１３０への電力供給を制限するよう指示する（Ｓ３１３）。なおＳ３１３において指示部１５２は、音量が一定値以下になった場合にスピーカ部１３０への電力供給を制限するよう電力供給部１６０に指示しても良い。
【００４３】
そして、スピーカ部１３０から出力する音声の音量が０になった場合（Ｓ３１４のＹｅｓ）、続いて指示部１５２は、録画再生制御部１０３に現在録画中か否かを問い合わせて録画中か否かを判別する（Ｓ３１５）。そして録画中の場合（Ｓ３１５のＹｅｓ）、テレビジョン装置１００は再びＳ３０１の処理を行う。なお、Ｓ３１５において録画中である場合、指示部１５２は、記録部１０４に記録された録画時刻データベース１０６を読み込み、当該データベースから録画終了時刻を抽出することもできる。これにより、テレビジョン装置１００は、Ｓ３０１〜Ｓ３１５の処理を繰り返す場合、Ｓ３１５において逐一録画再生制御部１０３に問い合わせることなく、録画処理が終了したか否かを判別することができる。
【００４４】
一方Ｓ３１５において録画中でない場合（Ｓ３１５のＮｏ）、指示部１５２は電力制御部１６０に対して、テレビジョン装置１００の各構成に対する電力の供給を制限するよう指示する。
【００４５】
なお、図３に示す処理フローにおいて、撮像部１５０が撮像可能であるとして説明したが、前述の通り撮像部１５０は、例えばユーザの存在を検出するセンサ等であっても良く、この場合には、図３の処理フローのＳ３０６〜Ｓ３１１の処理を省略してもよい。
【００４６】
次に図４を参照して、本実施例のテレビジョン装置１００の処理順序の例を説明する。図３に示す処理フローにおいてテレビジョン装置１００は、表示部１２０に対する電力供給を制限した一定時間後にスピーカ部１３０の電力供給を制限するものであった。一方、図４に示す処理フローにおいてテレビジョン装置１００は、表示部１２０への電力供給を制限した後、再生中の放送コンテンツの再生終了後にスピーカ部１３０への電力供給を制限する。
【００４７】
まずユーザ検出部１５１は、撮像部１５０が撮像した映像を取得し（Ｓ４０１）、該映像中にユーザがいるか否かを判別する（Ｓ４０２）。ここで、ユーザがいない場合（Ｓ４０２のＮｏ）、指示部１５２は、指示部１５２は、電力制御部１６０に対して、表示部１２０の駆動電力について問い合わせ、表示部１２０に電力が供給されているか否かを判別する（Ｓ４０３）。そして電力が供給されている場合（Ｓ４０３のＮｏ）、指示部１５２は電力制御部１６０に対して表示部１２０への電力供給の制限を指示する（Ｓ４０４）。
【００４８】
続いて指示部１５２は録画再生制御部１０３が再生する、受信中の放送コンテンツあるいは録画された放送コンテンツの再生が終了したか否かを判別し（Ｓ４０９）、終了していない場合（Ｓ４０９のＮｏ）、テレビジョン装置１００は再びＳ４０１の処理を行う。
【００４９】
一方、Ｓ４０２において、撮像部１５０が撮像した映像中にユーザの存在が確認された場合（Ｓ４０２のＹｅｓ）、ユーザ検出部１５１は、当該ユーザの視線の向き等を検出して、ユーザがテレビジョン装置１００を見ているか否かを判別する（Ｓ４０５）。そして、ユーザがテレビジョン装置１００を見ていない場合（Ｓ４０５のＮｏ）、指示部１５２は、表示部１２０に駆動電力が供給されているか否かを判別する（Ｓ４０６）。
【００５０】
そして、表示部１２０に電力が供給されていない場合（Ｓ４０６のＹｅｓ）、指示部１５２はＳ４０９の処理を行う。一方表示部１２０に電力が供給されている場合（Ｓ４０６のＮｏ）、指示部１５２は、一定時間の間に表示部１２０の輝度を徐々に下げるよう表示制御部１２１に対して指示するとともに、当該一定時間の経過後に、電力制御部１６０に対して表示部１２０への電力供給の制限を指示する（Ｓ４０７）。
【００５１】
Ｓ４０５においてユーザがテレビジョン装置１００を見ている場合（Ｓ４０５のＹｅｓ）、指示部１５２は電力制御部１６０に対して、表示部１２０に電力を供給するよう指示する（Ｓ４０８）。
【００５２】
そしてテレビジョン装置１００がＳ４０１〜Ｓ４０９の処理を繰り返し、録画再生制御部１０３が再生する、受信中の放送コンテンツあるいは録画された放送コンテンツの再生が終了した場合（Ｓ４０９のＹｅｓ）、指示部１５２は電力制御部１６０に対して、スピーカ部１３０への電力供給の制限を指示する（Ｓ４１０）。
【００５３】
続いて指示部１５２は、録画再生制御部１０３に、現在録画中か否かを問い合わせ、録画中か否かを判別する（Ｓ４１１）。そして録画中の場合（Ｓ４１１のＹｅｓ）、テレビジョン装置１００は再びＳ４０１の処理を行う。一方Ｓ４１１において録画中でない場合（Ｓ４１１のＮｏ）、指示部１５２は電力制御部１６０に対して、テレビジョン装置１００の各構成に対する電力供給の制限を指示する。
【００５４】
次に図５を参照して、本実施形態に係るテレビジョン装置１００の処理例について説明する。図５は、ユーザからの、表示部１２０に対する電力供給を制限する為の操作入力を受けた際にテレビジョン装置１００が行う処理の順序を示す図である。
【００５５】
まず指示部１５２は、操作入力受付部１４０が表示部１２０に対する電力供給を制限する指示を受けた場合（Ｓ５０１のＹｅｓ）、続いて表示部１２０に対する電力供給が行われているか否かを判別する（Ｓ５０２）。そして指示部１５２は、電力供給が行われている場合（Ｓ５０２のＮｏ）、表示部１２０の電力供給の制限を電力制御部１６０に指示し（Ｓ５０３）、カウンタをスタートさせて（Ｓ５０４）、カウンタ値が設定値以上か否かを判別する（Ｓ５０５）。一方指示部１５２は、Ｓ５０２において表示部１２０に電力供給が行われている場合（Ｓ５０２のＹｅｓ）、Ｓ５０５の処理を行う。
【００５６】
ここで、Ｓ５０４においてカウンタ値が設定値未満であると（Ｓ５０５のＮｏ）、指示部１５２は再びＳ５０２の処理を行い、カウンタ値が設定値以上であると（Ｓ５０５のＹｅｓ）、指示部１５２はスピーカ制御部１３１に対して、スピーカ部１３０が出力する音声の音量を徐々に低下させるよう指示する（Ｓ５０６）。そして、音量が０になった場合（Ｓ５０７のＹｅｓ）、指示部１５２は、現在録画が行われているか否かを判別し（Ｓ５０８）、録画中である場合は再びＳ５０２の処理を行い、録画中でない場合はテレビジョン装置１００の主電源を制限する（Ｓ５０９）。
【００５７】
なお図５に示す処理フローでは、表示部１２０に対する電力供給を制限した一定時間後にスピーカ部１３０に対する音量制御や電力供給制限を行っているが、図４に示した処理フローのように、表示部１２０に対する電力供給を制限した後、受信中の放送コンテンツあるいは録画された放送コンテンツの再生が終了した場合に音量制御及び電力供給制限を行ってもよい。
【００５８】
本実施形態に拠れば、テレビジョン装置１００は、ユーザの存在を確認できない場合及びユーザが当該テレビジョン装置１００を見ていない場合に、表示部１２０への電力供給を制限することができるとともにスピーカ部１３０への電力供給を継続することができる。更にテレビジョン装置１００は、表示部１２０への電力供給を制限した後、一定時間が経過した場合、あるいは放送コンテンツの再生が終了した場合にスピーカ部１３０やテレビジョン装置１００全体に対する電力供給を制限することができる。これによりテレビジョン装置１００は、当該テレビジョン装置１００の電力消費を抑制するとともに、ユーザに対して好適な視聴環境を提供することができる。
【００５９】
またテレビジョン装置１００は、表示部１２０及びスピーカ部１３０への電力供給を制限した後、録画処理の終了後に当該テレビジョン装置１００全体への電力供給を制限することができため、当該テレビジョン装置１００の消費電力を抑えつつ録画処理を継続することが可能である。
【００６０】
更にテレビジョン装置１００は、ユーザ操作に基づいて表示部１２０への電力供給を制限し、当該ユーザ操作の一定時間後、あるいは当該ユーザ操作の後、放送コンテンツの再生が終了した場合にスピーカ部１３０への電力供給を制限することができるため、ユーザの所望のタイミングで表示部１２０への電力供給を制限することができる。
【００６１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６２】
１００…テレビジョン装置、１０１…受信部、１０２…ＴＳ分離部、１０３…録画再生制御部、１０４…記録部、１０５…放送時刻データベース、１０６…録画時刻データベース、１０８…映像／音声分離部、１０９…映像デコード部、１１０…表示処理部、１１１…音声デコード部、１１２…音声処理部、１２０…表示部、１２１…表示制御部、１３０…スピーカ部、１３１…スピーカ制御部、１４０…操作入力受付部、１５０…撮像部、１５１…ユーザ検出部、１５２…指示部、１６０…電力制御部
【図１】
2011176527.tif 000003
【図２】
2011176527.tif 000004
【図３】
2011176527.tif 000005
【図４】
2011176527.tif 000006
【図５】
2011176527.tif 000007
【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
コンテンツに含まれる映像データに対応する映像を表示する表示手段と、
前記コンテンツに含まれる音声データに対応する音声を出力する音声出力手段と、
前記コンテンツの視聴者の存在を確認する確認手段と、
少なくとも前記表示手段と前記音声出力手段とに対して電力を供給する手段であって、前記確認手段が前記視聴者の存在を確認できなくなった後の第１の時刻に前記表示手段に対する電力供給を制限する一方で前記音声出力手段に対する電力供給を継続し、前記コンテンツの再生が終了する第２の時刻に前記音声出力手段に対する電力供給を制限する電力制御手段と
を備えることを特徴とするテレビジョン装置。
【請求項２】
前記コンテンツは、映像コンテンツであり、
前記映像コンテンツの映像データ及び音声データと、当該映像コンテンツの再生時間長情報を読み込む読み込み手段を更に備え、
前記表示手段は、読み込まれた前記映像コンテンツの映像を表示し、
前記音声出力手段は、読み込まれた前記映像コンテンツの音声を出力し、
前記電力制御手段は、読み込まれた前記再生時間長情報に基づいて、前記映像コンテンツの再生終了時刻に、前記音声出力手段と前記読み込み手段とに対する電力供給を制限する
ことを特徴とする請求項１記載のテレビジョン装置。
【請求項３】
前記コンテンツは、放送コンテンツであり、
前記放送コンテンツの映像データ及び音声データと、当該放送コンテンツの放送時間情報とを受信する受信手段を更に備え、
前記表示手段は、受信された前記放送コンテンツの映像を表示し、
前記音声出力手段は、受信された前記放送コンテンツの音声を出力し、
前記電力制御手段は、前記放送時間情報に基づいて、前記音声出力手段が出力している音声に対応する前記放送コンテンツの放送終了時刻に、前記音声出力部への電力供給を制限する
ことを特徴とする請求項１記載のテレビジョン装置。
【請求項４】
前記受信手段が受信した前記放送コンテンツの映像データを録画する録画手段を更に備え、
前記電力制御手段は、前記録画手段による前記放送コンテンツの録画が終了した場合に、前記録画手段に対する電力供給を制限する
ことを特徴とする請求項３記載のテレビジョン装置。
【請求項５】
前記録画手段は、設定された予約録画時刻に前記放送コンテンツを録画し、
前記電力制御手段は、前記設定された予約録画時刻に基づいて、前記放送コンテンツの録画が終了する時刻に、前記録画手段に対する電力供給を制限する
ことを特徴とする請求項４記載のテレビジョン装置。
【請求項６】
前記音声出力手段は、前記第１の時刻の後、当該音声出力手段が出力する音声の音量を徐々に低下させる
ことを特徴とする請求項１記載のテレビジョン装置。
【請求項７】
前記表示手段は、前記確認手段が前記視聴者の存在を確認できなくなった後に、当該表示手段から出力する映像の輝度を徐々に低下させる
ことを特徴とする請求項１記載のテレビジョン装置。
【請求項８】
前記確認手段は、視聴者の存在を検出可能な検出装置から入力された信号に基づいて前記視聴者の存在を確認する
ことを特徴とする請求項１記載のテレビジョン装置。
【請求項９】
前記確認手段は、視聴者を撮像可能な画像撮影装置から入力された画像に基づいて前記視聴者の存在を確認する
ことを特徴とする請求項１記載のテレビジョン装置。
【請求項１０】
前記確認手段は、前記画像撮影装置から入力された前記画像に基づいて、前記表示手段に表示される前記映像を視聴している前記視聴者の存在を確認し、
前記電力制御手段は、前記映像を視聴している前記視聴者の存在を確認できなくなった後の前記第１の時刻に、前記表示手段に対する電力供給を制限する
ことを特徴とする請求項９記載のテレビジョン装置。
【請求項１１】
コンテンツに含まれる映像データに対応する映像を表示する表示手段と、
前記コンテンツに含まれる音声データに対応する音声を出力する音声出力手段と、
操作入力を受け付ける受付手段と、
少なくとも前記表示手段と前記音声出力手段とに対して電力を供給する手段であって、前記受付手段が前記表示手段に対する電力供給を制限する為の操作入力を受けた場合、当該表示手段に対する電力供給を制限する一方で前記音声出力手段に対する電力供給を継続し、前記コンテンツの再生終了時に前記音声出力手段に対する電力供給を制限する電力制御手段と
を備えることを特徴とするテレビジョン装置。